(57)【特許請求の範囲】
【請求項１】
液体を噴出するノズルの噴出口の噴射角度を調節する工具であって、当該工具の長手方向の両端部が開口された筒状体で、ノズルの噴頭の外筒部へ着脱自在に嵌合される先端側の筒部と、液体を噴出させながら噴射角度を調節できるように前記先端側筒部から拡径させて後端側へ延設させ液体噴出流路から逃がして形成した工具本体とからなるノズルの噴射角度調整用工具を形成し、該工具の先端部をノズルの噴頭に把持させた後に、液体をノズルから噴出させ乍ら、前記工具で噴射角度を調節し、該調節後に液体の噴出を停止して前記工具をノズルの噴頭から取り外すこと、
を特徴とするノズルの噴射角度調整方法。
【請求項２】
液体を噴出するノズルの噴出口の噴射角度を調節する工具であって、当該工具の長手方向の両端部が開口された筒状体で、ノズルの噴頭の外筒部へ着脱自在に嵌合される先端側の筒部と、液体を噴出させながら噴射角度を調節できるように前記先端側筒部から拡径させ後端側へ延設させ液体噴出流路から逃がして形成した工具本体とからなること、
を特徴とするノズルの噴射角度調整用工具。
【発明の詳細な説明】
【０００１】
【産業上の利用分野】
本発明は、液体を噴出するノズルで、主に自動車のウォッシャ液を噴出するノズルの噴射角度を調節するための治具に関する。
【０００２】
【従来の技術】
従来、自動車のウォッシャ液を運転席側若しくは後部側のガラスに噴射するウォッシャ液噴射ノズル１は、図３に示すように、自動車のボディに取り付けるための取付片３を一体成形したノズルボディ１ａを有し、その両端にウォッシャ液を導入する導入口４とウォッシャ液を噴出する噴出口５とを有し、形成されている。
【０００３】
そして、ウォッシャ液噴射ノズル１における球状噴頭５ａの噴出口５からウォッシャ液が勢い良く噴出され、ガラス面に到達する。
【０００４】
車体に取り付けられるウォッシャ液噴射ノズル１の取付位置が車種によって異なるので、ウォッシャ液が正規の位置に到達するように、予め、球座面で三次元的に回動自在に支持された球状噴頭５ａの噴射角度を、ノズル組み立て後に作業治具上にて設定する。なお、前記ウォッシャ液噴射ノズル１を車体に組込みした後に前記噴射角度の位置合わせをすることもある。
【０００５】
その調整方法は、図４に示すように、例えば金属製の細長い中実な棒状のピン８と、該ピン８の端部に固着された把持部９とを有した治具１０を形成し、前記ピン８の先端部を球状噴頭５ａの噴孔に差し込み、作業者が目見当で噴射角度を調整し、ウォッシャ液を噴出させて確かめ、不都合であれば再びウォッシャ液の噴出を停止して前記ピン８を差し込んで噴射角度を調節し、ウォッシャ液を噴出させて指定角度に設定できるまで調整作業を繰り返していた。
【０００６】
【発明が解決しようとする課題】
しかしながら、このような噴射角度調整方法では、作業者の噴射角度調整の熟練度によって、調整時間が大きく左右されるものであり、ウォッシャ液の噴出を調整の度に繰り返さなければならず、手間が掛かり工期短縮化の障害となっていると言う問題点がある。また、作業者のカンに頼ることが多くて作業能率も向上し難く、作業者に疲労感が生じてストレスが溜まると言う問題点があって、作業環境の改善が望まれている。
【０００７】
このように、従来のノズルの噴射角度調整方法は、作業能率の点において解決すべき課題を有していた。
本発明は、上記の課題に鑑みてなされたもので、作業能率を向上させた噴射角度調整方法と調整用工具の提供を目的とする。
【０００８】
【課題を解決するための手段】
本発明に係るノズルの噴射角度調整方法の上記課題を解決するための要旨は、液体を噴出するノズルの噴出口の噴射角度を調節する工具であって、当該工具の長手方向の両端部が開口された筒状体で、ノズルの噴頭の外筒部へ着脱自在に嵌合される先端側の筒部と、液体を噴出させながら噴射角度を調節できるように前記先端側筒部から拡径させて後端側へ延設させ液体噴出流路から逃がして形成した工具本体とからなるノズルの噴射角度調整用工具を形成し、該工具の先端部をノズルの噴頭に把持させた後に、液体をノズルから噴出させ乍ら、前記工具で噴射角度を調節し、該調節後に液体の噴出を停止して前記工具をノズルの噴頭から取り外すことにある。
【０００９】
本発明に係るノズルの噴射角度調整用工具は、液体を噴出するノズルの噴出口の噴射角度を調節する工具であって、当該工具の長手方向の両端部が開口された筒状体で、ノズルの噴頭の外筒部へ着脱自在に嵌合される先端側の筒部と、液体を噴出させながら噴射角度を調節できるように前記先端側筒部から拡径させ後端側へ延設させ液体噴出流路から逃がして形成した工具本体とからなることである。
【００１１】
【作用】
本発明に係るノズルの噴射角度調整方法によれば、ノズルからウォッシャ液を噴出させ乍らその状態を目視して噴射角度調整ができるようになる。よって、作業者の熟練度に関わり無く、容易に車種に応じた適正な範囲内に噴射角度を調節することができる。
【００１２】
本発明に係るノズルの噴射角度調整用工具によれば、ノズルの噴孔を閉塞させないので、ウォッシャ液を対象物に噴出させながら噴射角度調節ができるようになる。
【００１３】
【実施例】
次に、本発明に係る実施例について図面を参照して詳細に説明する。
本発明の第１実施例は、図１乃至図２に示すように、長手方向の両端部が開口された筒状体で、噴頭５ａの外筒部へ着脱自在に嵌合される先端側の円筒部１１ａと、該先端側円筒部１１ａから拡径させて後端側へ延設させた円筒状の工具本体１１ｂとからなる噴射角度調整用工具１１を形成する。
【００１４】
前記ノズルの噴射角度調整用工具１１は、鋼製その他の金属製であり、強度的に十分であれば硬質の合成樹脂製でも良い。
【００１５】
前記工具本体１１ｂの内径は、ウォッシャ液噴射ノズル１の噴頭５ａから噴出されたウォッシャ液が噴射対象物へと邪魔されずに到達するように、ウォッシャ液噴射流路から逃がして形成する必要があるので、円筒部１１ａの内径よりも漸次拡径させておくものである。但し、どの程度の拡径具合にするかは設計変更的事項である。
【００１６】
また、前記工具本体１１ｂは、作業者がこの噴射角度調整用工具１１を掴んで噴射角度調節するための把持部となるものである。場合によっては、この工具本体１１ｂの外周部にローレットによりあやめ等のきざみ目を設ける様にしても良く、または、当該外周面から突出した調整用腕部を複数個で周方向に設けるようにしても良い。
【００１７】
前記先端側の円筒部１１ａは、噴射角度調整しようとする対象のウォッシャ液噴射ノズル１の噴頭５ａの外筒部に嵌合して把持できるように形成するものである。よって、前記噴頭５ａの外筒部の形状や外径寸法に応じて当該円筒部１１ａの形状等も、円筒形状に限らず例えば楕円形状や矩形状等に適宜に変化するものである。
【００１８】
また、円筒部１１ａの嵌合状態は、前記噴頭５ａの外筒部へ着脱自在になされ、かつ、三次元的に前記外筒部を回動させて噴射角度を調節しなければならないので、隙間の多い遊嵌状態はぐらつくので不適であり、着脱しやすいようにしてなおかつ隙間の少ない遊嵌状態になるよう、円筒部１１ａの内径寸法を設定すべきである。
【００１９】
前記ノズルの噴射角度調整用工具１１によってノズルの噴射角度を調整するには、図２に示すように、ウォッシャ液を噴出しないようにした状態で、前記工具１１を作業者の手で持って、その先端側の円筒部１１ａを、ウォッシャ液噴射ノズル１の噴頭５ａの外筒部に嵌合させ把持させる。
【００２０】
そして、前記工具１１の工具本体１１ｂを手で把持したまま、噴頭５ａからウォッシャ液を噴出させる。
【００２１】
噴出されたウォッシャ液がガラス面の所定の的に当たるように、手を前後左右に動かして噴頭５ａの外筒部を三次元的に回動させる。
【００２２】
そして、所望の噴射角度に調整できたなら、ウォッシャ液の噴出を停止し、そして前記噴射角度調整用工具１１を噴頭５ａの外筒部から取り外す。これによって、ウォッシャ液噴射ノズル１の噴射角度調整作業が完了するものである。
【００２３】
このように、従来の噴射角度調整作業が、ピン８の噴孔への抜き差しとウォッシャ液の噴出の繰り返しであったのが、本発明の方法により、ウォッシャ液を噴出させ乍ら一度で調節が終了し、極めて容易な噴射角度調整作業となったのである。
【００２９】
【発明の効果】
以上説明したように、本発明に係るノズルの噴射角度調整方法は、液体を噴出するノズルの噴出口の噴射角度を調節する工具であって、当該工具の長手方向の両端部が開口された筒状体で、ノズルの噴頭の外筒部へ着脱自在に嵌合される先端側の筒部と、液体を噴出させながら噴射角度を調節できるように前記先端側筒部から拡径させて後端側へ延設させ液体噴出流路から逃がして形成した工具本体とからなるノズルの噴射角度調整用工具を形成し、該工具の先端部をノズルの噴頭に把持させた後に、液体をノズルから噴出させ乍ら、前記工具で噴射角度を調節し、該調節後に液体の噴出を停止して前記工具をノズルの噴頭から取り外すことにしたので、ウォッシャ液の噴射状態を視認しながら噴射角度調整でき１回で調整完了するようになって、噴射角度調整工数が大幅に短縮され、作業能率が向上すると言う優れた効果を奏する。
【００３０】
本発明に係るノズルの噴射角度調整用工具は、当該工具の長手方向の両端部が開口された筒状体で、ノズルの噴頭の外筒部へ着脱自在に嵌合される先端側の筒部と、液体を噴出させながら噴射角度を調節できるように前記先端側筒部から拡径させ後端側へ延設させ液体噴出流路から逃がして形成した工具本体とからなるので、ウォッシャ液等の液体を噴出させながら噴射角度の調整が可能となると言う優れた効果を奏する。
【図面の簡単な説明】
【図１】本発明に係るノズルの噴射角度調整用工具の第１実施例の斜視図（イ）と断面図（ロ）である。
【図２】同本発明の第１実施例の使用状態の断面図である。
【図３】ウォッシャ液噴射ノズルの縦断面図である。
【図４】従来例に係る治具の使用状態を示す説明図である。
【符号の説明】
１      ウォッシャ液噴射ノズル、
２      自動車のボディ、
３      取付片、
４      導入口、
５      噴出口、
５ａ    噴頭、
８      ピン、
１０    治具、
１１  ノズルの噴射角度調整用工具、
１１ａ  先端側の円筒部、
１１ｂ  工具本体。
【図１】
0003624000.tif 000002
【図２】
0003624000.tif 000003
【図３】
0003624000.tif 000004
【図４】
0003624000.tif 000005